(57)【要約】【課題】主にバリア部材の開閉駆動を確実に行うことができるレンズ鏡筒を提供する。【解決手段】光通過口を開閉可能なバリア部材１８５〜１８８を、光軸周りの回転により開閉駆動する駆動部材１８１と、駆動部材１８１を光軸周り一方向に付勢する付勢部材とを有し、駆動部材１８１および鏡筒構成部材１４７が、鏡筒本体の繰り出し繰り込み動作によって光軸方向に相対的に移動可能なレンズ鏡筒であって、鏡筒構成部材１４７が、駆動部材１８１との相対位置変化に応じて、駆動部材１８１を光軸周り一方向に回転させる第１のガイド部１４７ｐと、駆動部材１８１を付勢部材の付勢力に抗して光軸周り他方向に回転させる第２のガイド部１４７ｎとを有し、付勢部材又は第１のガイド部１４７ｐにより駆動部材を光軸周り一方向に回転させてバリア部材を駆動する。【選択図】　図１９
2004069991.tif 000002
【特許請求の範囲】
【請求項１】
鏡筒本体前面の光通過口を開閉可能なバリア部材と、
光軸周りに回転することにより前記バリア部材を開閉駆動する駆動部材と、
この駆動部材を光軸周り一方向に付勢する付勢部材と、
前記鏡筒本体の一部を構成する鏡筒構成部材とを有し、
前記駆動部材および前記鏡筒構成部材が、前記鏡筒本体の繰り出し繰り込み動作によって光軸方向に相対的に移動可能なレンズ鏡筒であって、
前記鏡筒構成部材が、前記駆動部材との相対位置変化に応じて、前記駆動部材を光軸周り一方向に回転させる第１のガイド部と、前記駆動部材を前記付勢部材の付勢力に抗して光軸周り他方向に回転させる第２のガイド部とを有し、
前記付勢部材又は前記第１のガイド部により前記駆動部材を光軸周り一方向に回転させて前記バリア部材を駆動することを特徴とするレンズ鏡筒。
【請求項２】
鏡筒本体前面の光通過口を開閉可能なバリア部材と、
光軸周りに回転することにより前記バリア部材を開閉駆動する駆動部材と、
前記駆動部材の回転に抵抗を付与する抵抗手段と、
鏡筒本体の一部を構成する鏡筒構成部材とを有し、
前記駆動部材および前記鏡筒構成部材が、前記鏡筒本体の繰り出し繰り込み動作によって光軸方向に相対的に移動可能なレンズ鏡筒であって、
前記鏡筒構成部材が、前記駆動部材との相対位置変化に応じて、前記駆動部材を光軸周り一方向に回転させる第１のガイド部と、前記駆動部材を光軸周り他方向に回転させる第２のガイド部とを有することを特徴とするレンズ鏡筒。
【請求項３】
前記鏡筒構成部材が、前記駆動部材との相対位置変化に応じて前記駆動部材を前記第２のガイド部に案内する第３のガイド部を有することを特徴とする請求項１又は２に記載のレンズ鏡筒。
【請求項４】
レンズ部材と、
このレンズ部材を光軸周り一方向に付勢する付勢部材と、
前記レンズ部材の光軸周りの回転を光軸方向への移動に変換するカム部を有し、前記レンズ部材を支持する支持部材と、
鏡筒本体の一部を構成する鏡筒構成部材とを備え、
前記支持部材および前記鏡筒構成部材が、前記鏡筒本体の繰り出し繰り込み動作によって光軸方向に相対的に移動可能なレンズ鏡筒であって、
前記鏡筒構成部材が、前記支持部材との相対位置変化に応じて、前記レンズ部材を光軸周り一方向に回転させる第１のガイド部と、前記レンズ部材を光軸周り他方向に回転させる第２のガイド部とを有し、
前記付勢部材又は前記第１のガイド部により前記レンズ部材を光軸周り一方向に回転させるとともに、前記カム部により前記レンズ部材を光軸方向に駆動することを特徴とするレンズ鏡筒。
【請求項５】
レンズ部材と、
このレンズ部材の光軸周りの回転を光軸方向への移動に変換するカム部を有し、前記レンズ部材を支持する支持部材と、
前記レンズ部材の光軸周りの回転に抵抗を付与する抵抗手段と、
鏡筒本体の一部を構成する鏡筒構成部材と、
前記支持部材および前記鏡筒構成部材が、前記鏡筒本体の繰り出し繰り込み動作によって光軸方向に相対的に移動可能なレンズ鏡筒であって、
前記鏡筒構成部材が、前記支持部材との相対位置変化に応じて、前記レンズ部材を光軸周り一方向に回転させる第１のガイド部と、前記レンズ部材を光軸周り他方向に回転させる第２のガイド部とを有することを特徴とするレンズ鏡筒。
【請求項６】
前記鏡筒構成部材が、前記支持部材との相対位置変化に応じて、前記レンズ部材を前記第２のガイド部へ導く第３のガイド部を有することを特徴とする請求項４又は５に記載のレンズ鏡筒。
【請求項７】
請求項１から６のいずれかに記載のレンズ鏡筒を有することを特徴とするカメラ。
【発明の詳細な説明】
【０００１】
【発明の属する技術分野】
本発明はレンズ鏡筒およびカメラに関するものであり、具体的には、撮影光学系を保護するためにレンズ前面に設けられたバリア機構や、撮影光学系内のレンズ群を駆動するレンズ駆動機構に関するものである。なお、本発明は、３５ｍｍや２４ｍｍフィルム用カメラやデジタルカメラ、ビデオカメラ等の光学機器に好適なものである。
【０００２】
【従来の技術】
従来のレンズシャッタカメラのバリア装置には、特開平１０−６８９８４号公報に提案されているものがある。同公報の図１において、回転動作によりバリア羽根２、３（同公報の符号、以下同じ）を開閉駆動するバリア駆動リング６は、バネ７によってバリア羽根の開き駆動方向に付勢されている。そして、カメラが撮影状にあるときに、バリア駆動リング６をバネ７の付勢力により回転させてバリア羽根を開き状態としている。
【０００３】
また、同公報の図９に示すように、沈胴時、地板のカム面１０ａがバリア駆動リング６上のフォロアーアーム６ｉをバネ７の付勢力に抗して押し込むことにより、バリア駆動リング６を所定方向に回転させて、バリア羽根を閉じ状態としている。
【０００４】
一方、撮影光学系に配置された複数のレンズ群を光軸方向に移動させる移動装置では、各レンズ群をカム駆動により光軸方向に移動させる機構が一般的である。
【０００５】
また、一つのレンズ群を、複数のカム溝にまたがって光軸方向に移動させる機構が、特開２００２−０１４２７１号公報に提案されている。
【０００６】
同公報において、第３群レンズ１５２は、ミドルからテレまでは、第３群レンズ保持部材上の第３群カムピンＡ１１９ｄおよび第３群移動用カム溝Ａ１０２ｋのカム係合作用で光軸方向に移動する。また、ミドルからワイドでは、第３群カムピンＡ１１９ｄは第３群移動用カム溝Ａ１０２ｋから外れ、別の駆動駒上の第３群カムピンＢ１４６ａおよび第２差動筒１４０上の第３群移動用カム溝Ｂ１４０ｇのカム係合作用に応じて、第３群カムピンＢ１４６ａとともに光軸方向に移動する。
【０００７】
【発明が解決しようとする課題】
しかしながら、上述した特開平１０−６８９８４号公報のバリア装置では、外部からの衝撃によるバネ７の破損や、砂・ゴミの付着等によりバネ７のバネ力が不足すると、バリア駆動リングの動作不良によりカメラが撮影状態にあるにもかかわらずバリア羽根が閉じたままとなるおそれがある。
【０００８】
ここで、カメラが撮影状態にあるときには、バリア羽根が完全に開いていない場合でも撮影を行うことが可能であるため、フィルムやＣＣＤへの露光が十分に行われないという問題がある。このような問題を解消するため、バリア羽根が開き状態にあるか、又は閉じ状態にあるかを検出する検出スイッチをカメラ本体に設け、この検出スイッチの検出結果に基づいてバリア羽根の開閉状態を確認するカメラが提案されている。しかし、この場合には、検出スイッチを設けた分だけコストが高くなってしまう。
【０００９】
一方、特開２００２−１４２７１号公報のレンズ鏡筒では、１つのレンズ群を移動させるために、２本のカム溝を使用し、ワイドとテレの中間で切り換えているが、カムピンを、端部が切れたカム溝に正確に入れるために、レンズ群を沈胴からワイドまで誘導する別部材（１４６）を使用し、部品点数が増加している。
【００１０】
【課題を解決するための手段】
本願請求項１に記載の発明は、鏡筒本体前面の光通過口を開閉可能なバリア部材と、光軸周りに回転することによりバリア部材を開閉駆動する駆動部材と、この駆動部材を光軸周り一方向に付勢する付勢部材と、鏡筒本体の一部を構成する鏡筒構成部材とを有し、駆動部材および鏡筒構成部材が、鏡筒本体の繰り出し繰り込み動作によって光軸方向に相対的に移動可能なレンズ鏡筒であって、鏡筒構成部材が、駆動部材との相対位置変化に応じて、駆動部材を光軸周り一方向に回転させる第１のガイド部と、駆動部材を付勢部材の付勢力に抗して光軸周り他方向に回転させる第２のガイド部とを有し、付勢部材又は第１のガイド部により駆動部材を光軸周り一方向に回転させてバリア部材を駆動することを特徴とする。
【００１１】
すなわち、付勢部材又は第１のガイド部により駆動部材を光軸周り一方向に回転させることにより、例えば、付勢部材の付勢力では駆動部材を十分に回転させることができなくなった場合でも、第１のガイド部により駆動部材を光軸周り一方向に回転させるようにしている。このように、駆動部材を確実に回転させることにより、バリア部材を確実に駆動することができ、例えば、レンズ鏡筒が撮影可能な状態にあるにも関わらず、バリア部材が光通過口を閉じたままになってしまうという不都合を回避することができる。
【００１２】
また、バリア部材の開閉駆動を確実に行わせるようにすることで、従来技術のようにバリア部材の開閉状態を検出するための検出スイッチを設ける必要もないため、部品点数の増加によりレンズ鏡筒が大型化、コストアップすることもない。
【００１３】
本願請求項２に記載の発明は、鏡筒本体前面の光通過口を開閉可能なバリア部材と、光軸周りに回転することによりバリア部材を開閉駆動する駆動部材と、駆動部材の回転に抵抗を付与する抵抗手段と、鏡筒本体の一部を構成する鏡筒構成部材とを有し、駆動部材および鏡筒構成部材が、鏡筒本体の繰り出し繰り込み動作によって光軸方向に相対的に移動可能なレンズ鏡筒であって、鏡筒構成部材が、駆動部材との相対位置変化に応じて、駆動部材を光軸周り一方向に回転させる第１のガイド部と、駆動部材を光軸周り他方向に回転させる第２のガイド部とを有することを特徴とする。
【００１４】
すなわち、第１のガイド部および第２のガイド部により駆動部材を確実に光軸周りに回転させることで、バリア部材の開閉駆動を確実に行わせるようにしている。
【００１５】
本願請求項３に記載の発明は、鏡筒構成部材が、駆動部材との相対位置変化に応じて駆動部材を第２のガイド部に案内する第３のガイド部を有することを特徴とする。
【００１６】
すなわち、付勢部材又は抵抗手段が十分に機能しないことにより、駆動部材が所定の回転位置にない場合でも、第３のガイド部により駆動部材を第２のガイド部へ案内するようにすることで、駆動部材を第２のガイド部に沿って回転させて所定の回転位置へ戻すようにしている。これにより、バリア部材の開閉駆動を正確に行うことができる。
【００１７】
本願請求項４に記載の発明は、レンズ部材と、このレンズ部材を光軸周り一方向に付勢する付勢部材と、レンズ部材の光軸周りの回転を光軸方向への移動に変換するカム部を有し、レンズ部材を支持する支持部材と、鏡筒本体の一部を構成する鏡筒構成部材とを備え、支持部材および鏡筒構成部材が、鏡筒本体の繰り出し繰り込み動作によって光軸方向に相対的に移動可能なレンズ鏡筒であって、鏡筒構成部材が、支持部材との相対位置変化に応じて、レンズ部材を光軸周り一方向に回転させる第１のガイド部と、レンズ部材を光軸周り他方向に回転させる第２のガイド部とを有し、付勢部材又は第１のガイド部によりレンズ部材を光軸周り一方向に回転させるとともに、カム部によりレンズ部材を光軸方向に駆動することを特徴とする。
【００１８】
すなわち、付勢部材又は第１のガイド部によりレンズ部材を光軸周り一方向に回転させることにより、例えば、付勢部材の付勢力ではレンズ部材を十分に回転させることができなくなった場合でも、第１のガイド部によりレンズ部材を光軸周り一方向に回転させるようにしている。
【００１９】
このように、レンズ部材を確実に光軸周りに回転させることにより、レンズ部材をカム部により光軸方向に確実に移動させることができ、レンズ鏡筒における光学性能を確保することができる。また、鏡筒本体の一部を構成する鏡筒構成部材を用いてレンズ部材の駆動を行っているため、新たな部品を追加する必要もなく、レンズ鏡筒の大型化およびコストアップを防止することもできる。
【００２０】
本願請求項５に記載の発明は、レンズ部材と、このレンズ部材の光軸周りの回転を光軸方向への移動に変換するカム部を有し、レンズ部材を支持する支持部材と、レンズ部材の光軸周りの回転に抵抗を付与する抵抗手段と、鏡筒本体の一部を構成する鏡筒構成部材と、支持部材および鏡筒構成部材が、鏡筒本体の繰り出し繰り込み動作によって光軸方向に相対的に移動可能なレンズ鏡筒であって、鏡筒構成部材が、支持部材との相対位置変化に応じて、レンズ部材を光軸周り一方向に回転させる第１のガイド部と、レンズ部材を光軸周り他方向に回転させる第２のガイド部とを有することを特徴とする。
【００２１】
すなわち、第１のガイド部および第２のガイド部によりレンズ部材を確実に光軸周りに回転させ、レンズ部材をカム部により確実に光軸方向に移動させるようにすることで、レンズ鏡筒の光学性能を確保するようにしている。
【００２２】
本願請求項６に記載の発明は、鏡筒構成部材が、支持部材との相対位置変化に応じて、レンズ部材を第２のガイド部へ導く第３のガイド部を有することを特徴とする。
【００２３】
なお、本発明のレンズ鏡筒はカメラに用いることができる。
【００２４】
【発明の実施の形態】
（第１実施形態）
図１から図２２を用いて本発明の第１実施形態であるレンズ鏡筒およびカメラについて説明する。
【００２５】
図２および図３には、本実施形態であるレンズ鏡筒の構成を示している。このレンズ鏡筒は、いわゆる差動筒を２つ備えた３段沈胴式レンズ鏡筒である。
【００２６】
１４１は、カメラ本体１５９（図４）にフランジ部１４１ｂを介して固定される固定筒である。この固定筒１４１の内周面には、メスヘリコイド１４１ａが形成されている。固定筒１４１の前面には、固定遮光ゴム１７０、固定遮光シート１７１および固定カバー１７２が配置される。
【００２７】
１４２は第１差動筒であり、後端外周部１４２ａにはメスヘリコイド１４１ａと係合するオスヘリコイドと、長軸ギア１２０と噛み合うギアとが重なって形成されている。第１差動筒１４２は、メスヘリコイド１４１ａおよびオスヘリコイドの係合作用により光軸周りに回転しながら光軸方向に進退可能となっている。第１差動筒１４２の前面には、第１遮光ゴム１７３および第１遮光シート１７４が配置される。
【００２８】
１４３は第１直進筒であり、第１差動筒１４２の内側に配置され、第１差動筒１４２の光軸周りの回転に対して摺動可能となっている。第１直進筒１４３の台部１４３ｄに形成されたピン部１４３ｅは、固定筒１４１の直進溝１４１ｄに係合する。
【００２９】
第１差動筒１４２を回転させるズームギアユニットは、図３に示すように固定筒１４１に固定、支持される。ズームギアユニットのうち長軸ギア１２０は、この両端部が固定筒１４１の穴部１４１ｃに嵌合することで固定筒１４１に回転可能に保持されている。
【００３０】
モータ１０８の回転軸には、第１ギア３０１が圧入され、この第１ギア３０１は第２ギア３０２と噛み合う。第２ギア３０２は第３ギア３０３と噛み合い、第３ギア３０３は第４ギア３０４と噛み合う。
【００３１】
スリップバネ３０５は、第４ギア３０４と第５ギア３０６の間に配置され、スリップバネ３０５の変形による摩擦力で、第４ギア３０４および第５ギア３０６を一体的に回転可能としている。ここで、第４ギア３０４および第５ギア３０６間にスリップバネ３０５の摩擦力を超える大きなトルクが加わると、第４ギア３０４と第５ギア３０６が互いに滑り合うことでモータ１０８への過剰な力の伝達を防止している。
【００３２】
第５ギア３０６は、第６ギア３０７に噛み合い、第６ギア３０７は、長軸ギア１２０に噛み合っている。
【００３３】
第１ズーム段スイッチ３１０の先端部３１０ａは、通常、第２ズーム段スイッチ３１１の中間部３１１ｂと接触しており、電気信号的にオン状態にある。ここで、第６ギア３０７がモータ１０８の駆動力を受けて回転すると、立体カム部３０７ａが第２ズーム段スイッチ３１１の接触部３１１ａを押し上げることにより、先端部３１０ａおよび中間部３１１ｂが非接触となり、電気信号的にオフ状態になる。この電気信号のオンからオフへの切り換えは、ズーミング時の各焦点距離ごとに行われ、これによりズーミング中の焦点距離情報がカメラ本体側に伝達される。
【００３４】
第１ギア３０１から第６ギア３０７で構成されるギア列の両端には、第１ズームベース３０８および第２ズームベース３０９が配置されており、これらのズームベース３０８、３０９が固定筒１４１にネジ止めされることにより、ギア列が固定筒１４１に固定される。
【００３５】
第１沈胴端スイッチ３１２および第２沈胴端スイッチ３１３は、固定筒１４１の下部に固定されており、レンズ鏡筒が繰り出して撮影状態にあるときには、先端部３１２ａおよび先端部３１３ａが接触して電気信号的にオン状態となっている。一方、レンズ鏡筒が撮影状態から非撮影状態に繰り込むと、第１直進筒１４３の後端部が第１沈胴端スイッチ３１２の先端部３１２ａを押し下げることにより、先端部３１２ａおよび先端部３１３ａを非接触状態にして電気信号的にオフ状態となる。
【００３６】
この第１沈胴端スイッチ３１２および第２沈胴端スイッチ３１３によるオン／オフ信号はカメラ本体側に出力され、カメラ本体はレンズ鏡筒が撮影状態又は非撮影状態のいずれの状態にあるかを判別する。
【００３７】
長軸ギア１２０にモータ１０８からの駆動力が伝達されると、長軸ギア１２０とギア結合している第１差動筒１４２は、長軸ギア１２０の回転に応じて光軸周りに回転する。ここで、第１差動筒１４２は、固定筒１４１のメスヘリコイド１４１ａとのヘリコイド結合により、光軸周りに回転しながら光軸方向に進退する。
【００３８】
第１直進筒１４３は、第１差動筒１４２の回転に対して摺動可能となっているとともに、ピン部１４３ｅが固定筒１４１の直進溝１４１ｄに係合しているため、第１差動筒１４２の光軸方向への進退による影響だけを受けて光軸方向にのみ進退する。
【００３９】
１４４は第２差動筒であり、第１直進筒１４３の内側に組み込まれる。第２差動筒１４４の外周面に形成された複数のオスヘリコイド１４４ｄは、第１直進筒１４３の内周面に形成された複数の第２カム溝１４３ａに係合する。第２差動筒１４４の前面には、第２遮光ゴム１７５および第２遮光シート１７６が配置される。
【００４０】
第２差動筒１４４の外周に形成された穴部１４４ａに固定された駆動ピン１５１は、第１直進筒１４３に形成された第１カム溝１４３ｂを貫通して、第１差動筒１４２の内周面に形成された直線溝１４２ｃに係合する。第２差動筒１４４の内側には第２直進筒（鏡筒構成部材）１４７が組み込まれており、この第２直進筒１４７は、第２差動筒１４４の光軸周りの回転に対して摺動可能となっている。
【００４１】
第２直進筒１４７のフランジ部１４７ｂには、この周方向に複数のキー部１４７ａが形成されており、これらのキー部１４７ａは第１直進筒１４３の内周面に形成された複数の直線溝１４３ｃに係合する。
【００４２】
上述した構成において、第１差動筒１４２が光軸周りに回転すると、駆動ピン１５１および直進溝１４２ｃの係合作用と、第２直進筒１４４のオスヘリコイド１４４ｄおよび第１直進筒１４３の第２カム溝１４３ａの係合作用とにより、第２差動筒１４４が光軸周りに回転しながら光軸方向に進退する。ここで、第２直進筒１４７は、第２差動筒１４４の回転に対して摺動可能となっているため、光軸方向にのみ進退する。
【００４３】
１群レンズ鏡筒１４５の外周に形成された１群ヘリコイド１４５ａは、第２差動筒１４４の内周面に形成された第２カム溝１４４ｂに係合する。また、第２レンズ群１５２を保持する２群レンズホルダー１４８の外周に設けられた３本の２群カムピン１４８ａは、第２差動筒１４４の内周面に形成された第３カム溝１４４ｃに係合する。
【００４４】
第２差動筒１４４が光軸周りに回転すると、１群レンズ鏡筒１４５は、１群ヘリコイド１４５ａおよび第２カム溝１４４ｂの係合作用により光軸方向に進退し、モータ１０８の駆動量に応じて所定の位置まで移動可能である。また、２群レンズホルダー１４８は、２群カムピン１４８ａおよび第３カム溝１４４ｃの係合作用により光軸方向に進退し、モータ１０８の駆動量に応じて所定の位置まで移動可能である。なお、２群レンズホルダー１４８の前面には、２群マスク１５５が配置される。
【００４５】
ここで、２群バネ１５３は、２群レンズホルダー１４８の角穴部１４８ｂに係合し、２群カムピン１４８ａを２群レンズホルダー１４８の径方向外側に付勢することにより、第３カム溝１４４ｃと２群カムピン１４８ａのガタを無くしている。
【００４６】
次に、シャッタ装置周りに配置される部品について説明する。
【００４７】
図２において、１群レンズホルダー１６１の内部には、４枚の第１レンズ群１６０が配置されており、外周部１６１ａにはスポンジ１６２が配置される。この１群レンズホルダー１６１は、図１に示すシャッタ装置１０１における第１シャッタベース２０１の内部に配置されて固定される。すなわち、１群調整バネ１６３を、１群レンズホルダー１６１の外周に形成された腕部１６１ｂと第１シャッタベース２０１の凹部２０１ｃとで挟み込み、１群調整ネジ１６４を腕部１６１ｂおよび凹部２０１ｃに所定のねじこみ量でネジ止めすることにより、１群レンズホルダー１６１が固定される。
【００４８】
１群レンズホルダー１６１を保持する第１シャッタベース２０１を含むシャッタ装置１０１は、１群レンズ鏡筒１４５の図２中後方からこの内部に挿入されて固定される。すなわち、不図示のネジが１群レンズ鏡筒１４５の穴部１４５ｂを貫通して、第１シャッタベース２０１の雌ネジ部２０１ｂにねじ込まれることにより、シャッタ装置１０１が１群レンズ鏡筒１４５に固定される。１群レンズ鏡筒１４５の前面には、１群カバー１９１が固定される。
【００４９】
次に上述した構成のレンズ鏡筒を備えたカメラの回路構成および動作について説明する。
【００５０】
レンズ鏡筒が図４に示す沈胴状態にあるとき、固定筒１４１とヘリコイド結合している第１差動筒１４２は、固定筒１４１の前面から繰り出されていない。このとき、第２差動筒１４４の駆動ピン１５１は、図８に示すように第１直進筒１４３における第１カム溝１４３ｂのうち１４３ｂ１に示す位置にある。
【００５１】
第１レンズ群１６０を保持する１群レンズ鏡筒１４５の外周に形成された１群ヘリコイド１４５ａは、図１０に示すように第２差動筒１４４における第２カム溝１４４ｂのうち１４４ｂ１に示す位置にあり、１群レンズ鏡筒１４５は第２差動筒１４４に対して光軸方向に繰り出されていない。
【００５２】
また、第２レンズ群１５２を保持する２群レンズホルダー１４８の外周に設けられた３本の２群カムピン１４８ａは、第２差動筒１４４における第３カム溝１４４ｃのうち１４４ｃ１に示す位置にある。
【００５３】
以上より、レンズ鏡筒が沈胴状態にあるときには、１群レンズ鏡筒１４５は固定筒１４１から繰り出していない。
【００５４】
第１差動筒１４２の後端外周部１４２ａには、上述したようにオスヘリコイドとギアが重なるように形成されており、ギアが長軸ギア１２０に噛み合っている。長軸ギア１２０は、第６ギア３０７から第１ギア３０１までのギア列を介してモータ１０８に連結している。
【００５５】
図４において、３０１ａは６枚のプロペラをもつパルス板部で、１２２はパルス板部３０１ａのプロペラが通過するのを検知するためのＰＩ（フォトインターラプター）、１１０はＰＩ１２２の出力を検出するパルス検出回路である。１１１はモータコントロール回路であり、コンパレータ１１２ａの出力によりモータ正転用通電回路を形成し、コンパレータ１１２ｂの出力によりモータ逆転用通電回路を形成するように構成されている。
【００５６】
１３０は２段ストロークで構成されるレリーズボタンであり、撮影者操作に応じてズーミング信号処理回路１１５に第１ストローク又は第２ストロークの状態信号を出力する。
【００５７】
１１３はマイコン（制御手段）で、被写体距離検出回路１１４及びズーミング信号処理回路１１５からの出力信号により、下記表１で示すように第１差動筒１４２の回転量の演算を行なう。ここで、本実施形態のカメラにおいては、ワイドで３５ｍｍ、Ｍ（ミドル）１で５０ｍｍ、Ｍ２で７０ｍｍ、Ｍ３で１０５ｍｍ、テレで１５０ｍｍの焦点距離の切り換えが可能である。
【００５８】
【表１】
2004069991.tif 000003
【００５９】
１１６はロジックコントロール回路であり、撮影者がレリーズボタン１３０を第１ストローク分操作することにより、モータコントロール回路１１１のモータ正転用通電回路を作動準備状態にする。一方、レリーズボタン１３０の撮影者操作が断たれると、モータコントロール回路１１１のモータ逆転用通電回路を作業準備状態にする。
【００６０】
また、ロジックコントロール回路１１６は、撮影者がレリーズボタン１３０を第１ストローク分操作して電源スイッチが入ると、測距モジュール１１７に起動信号を出力するとともに、測距モジュール１１７による測距動作が終了するまでの十分な時間を経た後にモータコントロール回路１１１にモータ起動信号を出力する。
【００６１】
被写体距離検出回路１１４は、測距モジュール１１７で得られた被写体距離情報をデジタル化してマイコン１１３に入力する。
【００６２】
１１８はズーミング操作部材で、焦点距離を３５ｍｍ〜１５０ｍｍの間で変化させるために撮影者操作される部材である。ズーミング信号処理回路１１５は、ズーミング操作部材１１８が操作されている時間を検出し、この検出結果を表１に示すように０〜５０までに数値化してマイコン１１３に出力する。
【００６３】
１１９ａはファインダ表示制御回路であり、マイコン１１３の制御信号に基づいてカメラ本体に設けられた不図示のファインダ表示部に所定の情報を表示する。１１９ｂは磁気記録回路であり、マイコン１１３の制御信号に基づいて所定の撮影情報をフィルムの磁気記録部に記録する。
【００６４】
次に、図４に示す沈胴状態から図５に示すワイド待機状態までの動作について説明する。
【００６５】
撮影者がカメラ本体１５９の電源スイッチ（不図示）をオン状態にすると、第１差動筒１４２にモータ１０８からの駆動力が伝達され、第１差動筒１４２は固定筒１４１とのヘリコイド結合により光軸周りに回転しながら光軸方向に繰り出す。
【００６６】
第２差動筒１４４の駆動ピン１５１は、図８において、第１カム溝１４３ｂのうち位置１４３ｂ１から位置１４３ｂ５に一旦移動した後に位置１４３ｂ２まで戻る。これにより、第２差動筒１４４は、位置１４３ｂ１と位置１４３ｂ２との間における光軸方向の距離の分だけ第１直進筒１４３に対して繰り出す。
【００６７】
１群レンズ鏡筒１４５の１群ヘリコイド１４５ａは、図１０において、第２カム溝１４４ｂのうち位置１４４ｂ１から位置１４４ｂ５に一旦移動した後に位置１４４ｂ２まで戻る。
【００６８】
すなわち、１群ヘリコイド１４５ａは、図１１の矢印Ｚで示すように、まずモータ１０８の正回転によりＡ位置からＤ位置およびＢ位置を通り過ぎてＣ位置まで移動する。そして、モータ１０８の駆動停止・逆回転により、１群ヘリコイド１４５ａはＣ位置からＤ位置まで戻る。このＤ位置がワイド待機状態となる。
【００６９】
これにより、１群レンズ鏡筒１４５は、位置１４４ｂ１と位置１４４ｂ２との間における光軸方向の距離の分だけ第２差動筒１４４に対して繰り出す。
【００７０】
２群レンズホルダー１４８の２群ピン１４８ａは、図１０において、第３カム溝１４４ｃのうち位置１４４ｃ１から位置１４４ｃ２まで移動する。これにより、２群レンズホルダー１４８は、位置１４４ｃ１と位置１４４ｃ２との間における光軸方向の距離の分だけ第２差動筒１４４に対して繰り込む。
【００７１】
上述した動作により、レンズ鏡筒は沈胴状態（図４）からワイド待機状態（図５）となる。
【００７２】
次に、レンズ鏡筒がワイド状態にあるときのカメラの撮影動作について説明する。
【００７３】
ワイド状態において、撮影者がレリーズボタン１３０を第１ストローク分操作すると、まずロジックコントロール回路１１６の出力信号により測距モジュール１１７において測距動作が行なわれる。そして、測距モジュール１１７の測距結果が被写体距離検出回路１１４に送られ、デジタル化された後にマイコン１１３に出力される。一方、撮影時の焦点距離情報（ワイド）を示すデジタル信号はズーミング信号処理回路１１５の出力としてマイコン１１３に加えられる。
【００７４】
マイコン１１３は、被写体距離検出回路１１４およびズーミング信号処理回路１１５の出力に応じて表１に示すような演算を行なう。例えば、被写体距離が４ｍ（出力信号「１」）であり、焦点距離がワイドのｆ＝３５ｍｍ（出力信号「１０」）であるとすると、マイコン１１３は表１に示すように両者の信号を合わせた「１１」の数字を記憶し、この値をコンパレータ１１２ａの基準値とする。
【００７５】
モータコントロール回路１１１は、ロジックコントロール回路１１６からの出力信号に基づいてモータ１０８を正回転させることにより、レンズ鏡筒がワイド状態からテレ状態となるように第１差動筒１４２を光軸周りに回転させる。モータ１０８の回転は、パルス板部３０１ａおよびＰＩ１２２においてパルス化され、このパルス信号がパルス検出回路１１０で検出されてコンパレータ１１２に出力される。
【００７６】
モータ１０８の正回転に応じて次々とパルス信号が出力され、やがてパルス数が「１１」を数えると、コンパレータ１１２ａが反転して終了信号が出力される。これにより、モータコントロール回路１１１はモータ１０８の両端をショートすることにより、モータ１０８に電気ブレーキをかけて停止させる。
【００７７】
上述したモータ１０８の回転制御により、第１差動筒１４２は固定筒１４１とのヘリコイド結合により光軸方向に繰り出す。第２差動筒１４４の駆動ピン１５１は、図８において、モータ１０８の回転量に応じて第１カム溝１４３ｂのうち位置１４３ｂ３（無限位置）から位置１４３ｂ４（至近位置）の間における被写体距離に応じた所定の位置に停止する。
【００７８】
このとき、１群レンズ鏡筒１４５の１群ヘリコイド１４５ａは、図１０において、第２カム溝１４４ｂのうち位置１４４ｂ３（無限）から位置１４４ｂ４（至近）の間における被写体距離に応じた所定の位置に移動する。すなわち、図１１の矢印Ｆ’に示すように、Ｄ位置にある１群ヘリコイド１４５ａは、レリーズボタン１３０の第１ストローク操作に応じて、Ｅ位置（ＤＣ間の所定の位置）に移動して停止する。
【００７９】
また、２群レンズホルダー１４８の２群カムピン１４８ａは、図１０において、第３カム溝１４４ｃのうち位置１４４ｃ３（無限）から位置１４４ｃ４（至近）の間における被写体距離に応じた所定の位置まで移動する。すなわち、図１１の矢印Ｆ’に示すように、Ｄ位置にある２群カムピン１４８ａは、レリーズボタン１３０の第１ストローク操作に応じてＥ位置に移動して停止する。
【００８０】
上述したレンズ鏡筒の繰り出し動作により、１群レンズ鏡筒１４５に保持されている第１レンズ群１６０と２群レンズホルダー１４８に保持されている第２レンズ群１５２は光軸方向に進退し、無限から至近の間にある被写体に対して焦点調節が行われる。
【００８１】
焦点調節が行われた後、撮影者がレリーズボタン１３０を第２ストローク分操作すると、シャッタ羽根の開閉動作によりフィルムへの露光動作が行われる。そして、レリーズボタン１３０が操作される前の状態に復帰すると、ロジックコントロール回路１１６の指令を受けたモータコントロール回路１１１の出力信号によりモータ１０８が逆回転する。これにより、第１差動筒１４２は、レンズ鏡筒がワイド待機状態となるように回転し、焦点調節前の初期位置に戻る。
【００８２】
ここで、図１１の矢印Ｆ’に示すように、Ｅ位置にある１群レンズ鏡筒１４５の１群ヘリコイド１４５ａや２群レンズホルダー１４８の２群カムピン１４８ａは、Ｄ位置まで戻って停止する。
【００８３】
第１差動筒１４２が初期位置に戻ると、コンパレータ１１２ｂが反転してモータ１０８が停止する。そして、公知のフィルム巻上機構によりフィルムが１駒分巻上げられて、カメラ本体はレリーズボタン１３０が押圧操作される前の状態となる。
【００８４】
なお、本実施形態では、ズームポジションを焦点距離３５〜１５０ｍｍの間の５点にしたが、この点数は多くしても少なくしてもよい。
【００８５】
また、本実施形態では、パルス板部３０１ａおよびパルス検出回路１１０を設けて撮影レンズの位置検出を行ない、モータ１０８の駆動停止タイミングを決定しているが、これに限定されるものではない。例えば、モータ１０８にパルスモータを用い、マイコン１１３からの出力パルスの数に応じてパルスモータを回転させることにより、撮影レンズの位置を決めるようにしてもよい。このようにすれば、パルス板部３０１ａ、パルス検出回路１１０、コンパレータ１１２ａを用いる必要がなくなり、マイコン１１３の出力をモータコントロール回路１１１に直接入力させるようにすることで撮影レンズの位置を制御することができる。
【００８６】
次に、ズームポジションをワイドからＭ２に切り換える際のズーミング動作と、Ｍ２における撮影動作について説明する。
【００８７】
撮影レンズがワイド位置にある状態において、撮影者がズーミング操作部材１１８を所定時間操作し続けることにより、ズーミング信号処理回路１１５がズームポジションをＭ２と判別した場合には、撮影レンズをＭ２に応じた位置に移動させるためにモータ１０８を正回転させる。これにより、１群ヘリコイド１４５ａおよび２群カムピン１４８ａは、図１１の矢印Ｚ”で示すように、Ｄ位置からＣ位置、Ｇ位置を通過して、Ｆ位置まで移動する。
【００８８】
１群ヘリコイド１４５ａおよび２群カムピン１４８ａがＦ位置まで移動すると、モータ１０８の正回転を停止し逆回転させることにより、１群ヘリコイド１４５ａおよび２群カムピン１４８ａをＧ位置まで戻す。
【００８９】
レンズ鏡筒がＭ２状態にある場合において、撮影者がカメラ本体のレリーズボタン１３０を第１ストローク分操作すると、マイコン１１３は被写体距離に応じた焦点調節を行うためにモータ１０８を駆動する。モータ１０８の駆動力は、第１差動筒１４２に伝達され、１群ヘリコイド１４５ａは、図１１の矢印Ｆ”に示すように第２カム溝１４４ｂにおけるＧ位置からＨ位置まで移動する。
【００９０】
また、２群レンズホルダー１４８の２群カムピン１４８ａは、図１１の矢印Ｆ”に示すように第３カム溝１４４ｃにおけるＧ位置からＨ位置まで移動する。
【００９１】
１群ヘリコイド１４５ａおよび２群カムピン１４８ａがそれぞれ、Ｈ位置に移動することにより焦点調節が行われる。そして、レリーズボタン１３０が第２ストローク分操作されると、シャッタ羽根の開閉動作により露光が行われる。露光動作が終了すると、１群ヘリコイド１４５ａおよび２群カムピン１４８ａはそれぞれ、図１１のＧ位置まで移動し、フィルムの１駒巻き上げ動作が行われる。
【００９２】
次に、ズームポジションをＭ２からテレまで切り換えるときのズーミング動作と、テレ状態における撮影動作について説明する。
【００９３】
撮影レンズがＭ２の位置にある状態において、撮影者がズーミング操作部材１１８を所定時間操作し続けると、ズーミング信号処理回路１１５がズームポジションの判別を行う。ここで、ズーミング操作部材１１８の操作がテレ方向へのズーム操作であって、この操作時間が０．６秒以上の場合には、ズームポジションをテレと判別する。
【００９４】
ズームポジションをテレと判別した場合、撮影レンズをテレに応じた位置に移動させるためにモータ１０８を正回転させる。これにより、Ｇ位置にある１群ヘリコイド１４５ａおよび２群カムピン１４８ａは、図１２の矢印Ｚ’に示すように、Ｉ位置およびＴ位置を超えてＳ位置まで移動する。
【００９５】
１群ヘリコイド１４５ａおよび２群カムピン１４８ａがＳ位置まで移動すると、モータ１０８の正回転を停止し逆回転させることにより、１群ヘリコイド１４５ａおよび２群カムピン１４８ａをＴ位置まで戻す。
【００９６】
レンズ鏡筒がテレ状態にある場合において、撮影者がカメラ本体のレリーズボタン１３０を第１ストローク分操作すると、マイコン１１３は被写体距離に応じた焦点調節を行うためにモータ１０８を駆動する。モータ１０８の駆動力は、第１差動筒１４２に伝達され、１群レンズ鏡筒１４５の１群ヘリコイド１４５ａは、図１２の矢印Ｆ’に示すように第２カム溝１４４ｂにおけるＴ位置からＵ位置まで移動する。
【００９７】
また、２群レンズホルダー１４８の２群カムピン１４８ａは、図１２の矢印Ｆ’に示すように第３カム溝１４４ｃにおけるＴ位置からＵ位置まで移動する。
【００９８】
１群ヘリコイド１４８ａおよび２群カムピン１４８ａがそれぞれ、Ｕ位置に移動することにより焦点調節が行われる。そして、レリーズボタン１３０が第２ストローク分操作されると、シャッタ羽根の開閉動作により露光が行われる。露光動作が終了すると、１群ヘリコイド１４５ａおよび２群カムピン１４８ａはそれぞれ、図１２のＴ位置まで移動し、フィルムの１駒巻き上げ動作が行われる。
【００９９】
次に、レンズ鏡筒の先端に配置され、撮影レンズの前面を保護するためのバリア機構について説明する。このバリア機構の構成を図１５から図１７を用いて、組立順に説明する。
【０１００】
図１６において、バリアシート１８０の切り欠き孔部１８０ａを、バリアリング（駆動部材）１８１の腕部１８１ａにおける根元部１８１ｂにはめ込むことにより、バリアシート１８０とバリアリング１８１は一体になる。
【０１０１】
バリアリング１８１における開口部の外周には、図１７に示すように３つのフック部１８１ｄ１、１８１ｄ２、１８１ｄ３が形成されており、これらのフック部１８１ｄ１〜１８１ｄ３は、１群レンズ鏡筒１４５に形成された３つの組立用の逃げ凹部１４５ｎ１、１４５ｎ２、１４５ｎ３に組み込まれる。なお、逃げ凹部１５４ｎは図示されていないが、逃げ凹部１４５ｎ１、１４５ｎ２と同一形状に形成されている。
【０１０２】
そして、バリアリング１８１および１群レンズ鏡筒１４５を相対的に回転させることにより、バリアリング１８１の３つのフック部１８１ｄ１〜１８１ｄ３は、１群レンズ鏡筒１４５のリブ部１４５ｐ１〜１４５ｐ３に係合する。この構成において、バリアリング１８１は、１群レンズ鏡筒１４５に回転可能に保持される。
【０１０３】
開きバネ（付勢部材）１８２の丸フック部１８２ａは、バリアリング１８１のバネ掛け部１８１ｅに掛けられ、丸フック部１８２ｂは、１群レンズ鏡筒１４５のバネ掛け部１４５ｒに掛けられる。
【０１０４】
第１バリア羽根（バリア部材）１８５は、この回転中心穴部１８５ａを１群レンズ鏡筒１４５の軸部１４５ｑ１にはめ込むことにより、１群レンズ鏡筒１４５に回転可能に取り付けられる。閉じバネＡ１８３の角フック部１８３ａは第１バリア羽根１８５の孔部１８５ｂに掛けられ、丸フック部１８３ｂはバリアリング１８１のフック部１８１ｆ１に掛けられる。
【０１０５】
第１バリア羽根１８５は、閉じバネＡ１８３のバネ力を受けることにより、突起１８５ｅがバリアリング１８１の突起１８１ｇ１に当接した位置で停止する。
【０１０６】
第２バリア羽根（バリア部材）１８６および閉じバネＢ１８４についても、第１バリア羽根１８５および閉じバネＡ１８３と同様に１群レンズ鏡筒１４５に組み込まれる。すなわち、第２バリア羽根１８６の回転中心穴部１８６ａは軸部１４５ｑ２にはめ込まれる。また、閉じバネＢ１８４の角フック部１８４ａは第２バリア羽根１８６の孔部１８６ｂに掛けられ、丸フック部１８４ｂはバリアリング１８１のフック部１８１ｆ２に掛けられる。
【０１０７】
これにより、第２バリア羽根１８６は、閉じバネＢ１８４のバネ力を受けることにより、突起１８６ｅがバリアリング１８１の突起１８１ｇ２に当接した位置で停止する。
【０１０８】
第３バリア羽根（バリア部材）１８７は、この回転中心穴部１８７ａが１群レンズ鏡筒１４５の軸部１４５ｑ１にはめ込まれることにより、１群レンズ鏡筒１４５に回転可能に取り付けられる。ここで、第３バリア羽根１８７の凹部１８７ｃには、第１バリア羽根１８５の凸部１８５ｃが位置するようになっている。また、第３バリア羽根１８７の凸部１８７ｄは、第１バリア羽根１８５の外縁部１８５ｄよりも外側に位置するようになっている。
【０１０９】
第４バリア羽根（バリア部材）１８８についても、第３バリア羽根１８７と同様に１群レンズ鏡筒１４５に組み込まれる。すなわち、第４バリア羽根１８８の回転中心穴部１８８ａは軸部１４５ｑ２にはめ込まれる。ここで、第４バリア羽根１８８の凹部１８８ｃには、第２バリア羽根１８６の凸部１８６ｃが位置するようになっており、第４バリア羽根１８８の凸部１８８ｄは、第２バリア羽根１８６の外縁部１８６ｄよりも外側に位置するようになっている。
【０１１０】
図１５において、バリアカバー１９０は、この外周４箇所に形成されたフック部１９０ａを、１群レンズ鏡筒１４５の周方向４箇所に形成された角穴部１４５ｓに圧入することで、１群レンズ鏡筒１４５に位置決めされた状態で固定される。
【０１１１】
１群カバー１９１は、バリアカバー１９０に対して鏡筒前方から被せた状態で、１群レンズ鏡筒１４５に接着固定される。
【０１１２】
次に、レンズ鏡筒が撮影状態（テレ状態）にあるときの、バリア機構の状態について説明する。
【０１１３】
図１３はテレ状態におけるレンズ鏡筒の外観斜視図であり、図１８はテレ状態におけるレンズ鏡筒の内部構造を示す図である。ここで、図１８は、図１３に示すレンズ鏡筒から、バリアカバー１９０、１群カバー１９１、１群レンズ鏡筒１４５、第２差動筒１４４を省略したものであり、鏡筒先端にバリア機構が配置されている。
【０１１４】
図１９は、バリア羽根１８５〜１８８の開閉動作に関連する部材のみを示した図であり、レンズ鏡筒がテレ状態にあるときのバリア機構（バリアリング１８１）および第２直進筒１４７の光軸方向における位置関係を示している。
【０１１５】
第２直進筒１４７は第１カム面（第２のガイド部）１４７ｎを有しており、図１９に示す状態において第１カム面１４７ｎは、バリアリング１８１の連結部１８１ｃの光軸方向延長線上に位置している。また、第２直進筒１４７は、第１カム面１４７ｎに対して平行を保った状態で向かい合う第２カム面（第１のガイド部）１４７ｐを有している。
【０１１６】
第１カム面１４７ｎと第２カム面１４７ｐとの距離は、連結部１８１ｃの径よりも大きくなっている。ここで、第１カム面１４７ｎおよび第２カム面１４７ｐ間の距離が連結部１８１ｃの径以下である場合には、連結部１８１ｃが第１カム面１４７ｎおよび第２カム面１４７ｐ間で詰まってしまい、レンズ鏡筒の正常な動作が妨げられてしまう。
【０１１７】
そこで、本実施形態のように構成することで、連結部１８１ｃが、第１カム面１４７ｎおよび第２カム面１４７ｐのうちいずれか一方に当接しているときには、他方に当接することはなく、レンズ鏡筒の正常な動作が確保することができる。
【０１１８】
一方、第２カム面１４７ｐの一端には、第３カム面（第３のガイド部）１４７ｒが連続して形成されている。この第３カム面１４７ｒは、第１カム面１４７ｎおよび第２カム面１４７ｐに対して交わる方向に延びている。
【０１１９】
カム延長部１４７ｓは、第１カム面１４７ｎおよび第２カム面１４７ｐの他端に連続して形成されており、光軸方向に延びている。
【０１２０】
図１９に示すテレ状態においては、バリアリング１８１と第２直進筒１４７との光軸方向における間隔は離れており、バリアリング１８１は開きバネ１８２のバネ力を受けることにより、矢印Ａ方向に１０度回転している。このとき、バリアリング１８１の突起１８１ｇ１が第１バリア羽根１８５の突起１８５ｅを押し込むことにより、第１バリア羽根１８５は、軸部１４５ｑ１を中心に反時計方向（開き方向）に回転して停止している。
【０１２１】
また、第１バリア羽根１８５の外縁部１８５ｄが第３バリア羽根１８７の凸部１８７ｄを押し込むことにより、第３バリア羽根１８７も軸部１４５ｑ１を中心に反時計方向（開き方向）に回転して停止している。
【０１２２】
第２バリア羽根１８６および第４バリア羽根１８８についても、第１バリア羽根１８５および第３バリア羽根１８７と同様に、１群レンズ鏡筒１４５の軸部１４５ｑ２を中心に反時計方向（開き方向）に回転して停止している。すなわち、突起１８１ｇ２が突起１８６ｅを押し込むことにより第２バリア羽根１８６を反時計方向に回転させ、外縁部１８６ｄが凸部１８５ｄを押し込むことにより第４バリア羽根１８８を反時計方向に回転させている。
【０１２３】
上述した状態では、バリア羽根１８５〜１８８はバリアリング１８１の中央に形成された開口部から退避しており、この開口部から被写体光束がレンズ鏡筒内に進入可能となっている。
【０１２４】
次に、レンズ鏡筒が撮影状態（テレ状態）から沈胴状態に移行したときの、バリア機構の動作について説明する。
【０１２５】
レンズ鏡筒が図１９に示すテレ状態にあるときに、カメラ本体１５９の電源スイッチをオフ状態にすると、レンズ鏡筒はモータ１０８の駆動力を受けることにより、像面側に繰り込み始める。
【０１２６】
図２０は、レンズ鏡筒が繰り込み途中にあるときのバリア機構および第２直進筒１４７の位置関係を示す図である。この図２０に示す状態は、ワイド状態と沈胴状態の中間にある状態である
同図において、連結部１８１ｃは、第１カム面１４７ｎに当接している。この状態からレンズ鏡筒がさらに繰り込んで、第２直進筒１４７およびバリアリング１８１の間隔が縮まると、バリアリング１８１の連結部１８１ｃは、第１カム面１４７ｎに沿って移動する。このとき、バリアリング１８１は、矢印Ｂ方向に回転する。
【０１２７】
そして、連結部１８１ｃがカム延長部１４７Ｓに到達すると、図２１に示す沈胴状態となる。
【０１２８】
バリアリング１８１が矢印Ｂ方向に回転すると、バリアリング１８１の突起１８１ｇ１、１８１ｇ２のそれぞれが突起１８５ｅ、１８６ｅから逃げる方向に移動する。このように突起１８１ｇ１、１８１ｇ２が移動すると、バリア羽根１８５、１８６は、閉じバネ１８３、１８４のバネ力を受けてバリアリング１８１の開口部を覆う方向（閉じ方向）に回転する。
【０１２９】
第１バリア羽根１８５の閉じ方向への回転により、第１バリア羽根１８５の凸部１８５ｃが、第３バリア羽根１８７の凹部１８７ｃを押し込んで、第３バリア羽根１８７を閉じ方向に回転させる。また、第２バリア羽根１８６の閉じ方向への回転により、第２バリア羽根１８６の凸部１８６ｃが、第４バリア羽根１８８の凹部１８８ｃを押し込んで、第４バリア羽根１８８を閉じ方向に回転させる。
【０１３０】
上述した動作により、バリア羽根１８５〜１８６がバリアリング１８１の開口部内に進入して開口部を閉じる。このように、レンズ鏡筒が撮影状態から沈胴状態へ繰り込む場合におけるバリア機構の動作は、図１９、２０、２１に示すように、バリアリング１８１の連結部１８１ｃが第１カム面１４７ｎにガイドされることにより、バリア羽根１８５〜１８８がバリアリング１８１の開口部を閉じる。
【０１３１】
ここで、レンズ鏡筒が沈胴状態にあるとき、連結部１８１ｃはカム延長部１４７ｓに係合しているため、バリアリング１８１は所定の回転位置に保持されており、バリア羽根１８５〜１８８は閉じ状態となっている。
【０１３２】
次に、レンズ鏡筒が沈胴状態から撮影状態に移行する際のバリア機構の動作について説明する。
【０１３３】
上述したようにバリアリング１８１は開きバネ１８２のバネ力によって、バリア羽根１８５〜１８８が開く方向に付勢されている。図２１に示す沈胴状態からテレ方向にレンズ鏡筒が繰り出すと、第２直進筒１４７およびバリアリング１８１の光軸方向における間隔は広がっていく。このとき、バリアリング１８１の連結部１８１ｃは、開きバネ１８２による付勢力を受けているため、第１カム面１４７ｎに沿って移動する。
【０１３４】
これにより、バリアリング１８１は、バリア羽根１８５〜１８８を開かせる方向（図２１中Ａ方向）に回転する。そして、レンズ鏡筒が更に繰り出すと、バリア羽根１８５〜１８８がバリアリング１８１の開口部から退避して図１９に示す状態となる。
【０１３５】
次に、バリア機構に異常状態が生じている場合において、レンズ鏡筒が沈胴状態から撮影状態に繰り出すときのバリア機構の動作について説明する。ここで、異常状態とは、開きバネ１８２に砂、ゴミ等が付着すること等が原因でバリアリング１８１の回転動作が正常に行われない状態である。
【０１３６】
開きバネ１８２のバネ力が不足している等の異常状態で、レンズ鏡筒が沈胴状態から撮影状態に繰り出すと、図２１において、バリアリング１８１の連結部１８１ｃが、第２カム面１４７ｐに当接する。そして、レンズ鏡筒が更に繰り出すと、連結部１８１ｃが第２カム面１４７ｐに沿って移動することにより、バリアリング１８１が矢印Ａ方向に回転し、閉じ状態にあるバリア羽根１８５〜１８８が開いていく。
【０１３７】
そして、第２カム面１４７ｐと第３カム面１４７ｒとの境界付近で、連結部１８１ｃが第２カム面１４７ｐから離れていく。これにより、バリアリング１８１は所定の回転位置（開き位置）まで回転し、バリア羽根は正常に開くことになる。
【０１３８】
次に、バリア機構に異常状態が生じている場合において、レンズ鏡筒が撮影状態から沈胴状態に繰り込むときのバリア機構の動作について説明する。
【０１３９】
バリア機構に異常状態が生じている場合、例えば、図２２に示すように、バリアリング１８１が正常状態の回転位置（図１９、図２０）とは異なる回転位置にあることがある。すなわち、連結部１８１ｃの位置が正常状態（図１９、図２０）に示す位置と異なっていることがある。
【０１４０】
図２２に示す状態において、レンズ鏡筒が撮影状態から沈胴状態へ繰り込むと、第２直進筒１４７およびバリアリング１８１の光軸方向における間隔が狭まる。これにより、連結部１８１ｃは、第３カム面１４７ｒに当接し、第２直進筒１４７およびバリアリング１８１の間隔が狭まるにつれて、第３カム面１４７ｒに沿って移動する。
【０１４１】
このとき、バリアリング１８１は矢印Ａ方向に回転してバリア羽根１８５〜１８８が一旦開く。そして、レンズ鏡筒が更に繰り込むと、連結部１８１ｃは、第３カム面１４７ｒから外れて第１カム面１４７ｎに当接し、第１カム面１４７ｎに沿って移動する。これにより、バリアリング１８１が図２２中矢印Ｂ方向に回転して、バリア羽根１８５〜１８８が正常に閉じる。
【０１４２】
本実施形態によれば、第２直進筒１４７に形成された第２カム面１４７ｐと連結部１８１ｃとの当接作用により、バリアリング１８１を強制的に回転させてバリア羽根１８５〜１８８を開くようにしている。これにより、鏡筒外部からの衝撃等により開きバネ１８２が破損したり、開きバネに砂やゴミが付着したりすることにより、開きバネ１８２のバネ力だけでは、バリアリング１８１を回転させてバリア羽根１８５〜１８８を完全に開き状態にすることができない場合（異常状態の場合）であっても、連結部１８１ｃを第２カム面１４７ｐに沿って移動させることにより、バリアリング１８１を回転させて、確実にバリア羽根１８５〜１８８を開かせることができる。
【０１４３】
このように確実にバリア羽根１８５〜１８８を開かせることにより、レンズ鏡筒が撮影状態にある場合において、バリア羽根１８５〜１８８が完全に開くことなく撮影が行われるのを防止することができる。
【０１４４】
また、本実施形態では、レンズ鏡筒に既存の部材である第２直進筒１４７を用いてバリア羽根１８５〜１８８を強制的に開き状態としており、従来技術のように検出スイッチなどの新たな部材を追加する必要もないため、レンズ鏡筒の大型化およびコストアップを防止することができる。
【０１４５】
さらに、本実施形態では、レンズ鏡筒が撮影状態にあり、バリア羽根１８５〜１８８が完全に開ききっていない場合（異常状態の場合）に、レンズ鏡筒を撮影状態から沈胴状態に繰り込ませても、第３カム面１４７ｒにより連結部１８１ｃを第１カム面１４７ｎへ導き、第１カム面１４７ｎに沿って移動させることにより、バリア羽根１８５〜１８８を正常に閉じることができる。
【０１４６】
ここで、仮に第３カム面１４７ｒを光軸と直交する面とすると、異常状態（図２２）にあるときの連結部１８１ｃが、レンズ鏡筒の繰り込み動作に応じて、この光軸直交面に当接し、レンズ鏡筒の繰り込み動作が妨げられるため、バリア羽根１８５〜１８８を正常に閉じることができなくなってしまう。
【０１４７】
そこで、本実施形態のように第３カム面１４７ｒを第１カム面１４７ｎ（第２カム面１４７ｐ）に対して交わる方向に延びる形状として、連結部１８１ｃを第１カム面１４７ｎへ導くようにすることで、レンズ鏡筒の繰り込み動作を確保でき、バリア羽根１８５〜１８６を正常に閉じさせることができる。
【０１４８】
また、上述した構成では、異常状態におけるレンズ鏡筒の繰り込み動作の際に連結部１８１ｃが第３カム面１４７ｒに沿って移動することで、閉じ状態にあるバリア羽根１８５〜１８８が一旦開き、その後、連結部１８１ｃが第１カム面１４７ｎに沿って移動することでバリア羽根１８５〜１８８が開くこととなる。このように、バリア羽根１８５〜１８８を一旦開かせてから閉じさせることにより、開きバネ１８２に付着した砂やゴミ等を振り落とすことができ、開きバネ１８２のバネ力を回復させることも可能である。
【０１４９】
（第２実施形態）
本発明の第２実施形態であるレンズ鏡筒について説明する。第１実施形態では、バリア羽根の開閉機構の関するものであるが、本実施形態では撮影光学系における収差を補正するための補正レンズの駆動機構に関するものである。
【０１５０】
本実施形態におけるレンズ鏡筒の構成および動作やカメラの回路構成及び動作については第１実施形態と同じであるため、これらの説明は省略し、本実施形態では第１実施形態と異なる点について説明する。なお、第１実施形態で説明した部材と同じ部材については同一符号を用いる。
【０１５１】
レンズ鏡筒の光軸方向における断面を示す図５において、第１レンズ群１６０の後方（像面側）には、補正レンズ（レンズ部材）４０１が配置されている。この補正レンズ４０１は、レンズホルダー４０２に接着固定されており、レンズホルダー４０２の外周には３本の駆動ピン４０３が設けられている。
【０１５２】
このレンズホルダー４０２は、シャッタ装置（支持部材）１０１の後端部内側にはめ込まれて保持されている。
【０１５３】
３本の駆動ピン４０３はそれぞれ、シャッタ装置１０１の後端部に形成された３本のカム溝１０１ａに係合している（図２３参照）。３本の駆動ピン４０３のうち１本の駆動ピン４０３は、他の２本の駆動ピン４０３よりも長く形成されており、シャッタ装置１０１のカム溝１０１ａを貫通している。そして、この１本の駆動ピン４０３は、レンズ鏡筒がワイド状態から沈胴状態に移行する際に、後述するレンズ用カム面１４７ｔ、１４７ｕ、１４７ｖに当接可能となっている。
【０１５４】
移動バネ（付勢部材）４０４は、図２３に示すように、この一端のフック部４０４ａがレンズホルダー４０２に固定され、他端のフック部４０４ｂがシャッタ装置１０１に形成されたバネ掛け用の穴部１０１ｂに掛けられている。この移動バネ４０４のバネ力によって、レンズホルダー４０２は光軸周り一方向（図２３中矢印Ｃ方向）に付勢されており、駆動ピン４０３は、カム溝１０１ａの一端（テレ端１０１ａ１）に当接するようになっている。
【０１５５】
上述した構成のレンズ鏡筒がテレ状態からワイド状態、沈胴状態に移行する際におけるレンズホルダー４０２の動作について説明する。
【０１５６】
図２３は、テレ状態にあるときのレンズ鏡筒の部分構成図を示している。図２３に示す状態において、第２直進筒１４７およびシャッタ装置１０１の光軸方向における距離は離れており、駆動ピン４０３は、第２直進筒１４７におけるレンズ用カム面１４７ｔ、１４７ｕ、１４７ｖのいずれとも当接していない。
【０１５７】
このため、レンズホルダー４０２の駆動ピン４０３は、移動バネ４０４のバネ力を受けてカム溝１０１ａに沿って移動してテレ端１０１ａ１の位置に停止する。このとき、レンズホルダー４０２は所定のテレ位置にある。
【０１５８】
レンズホルダー４０２（補正レンズ４０１）がテレ位置にあるとき、補正レンズ４０１および第１レンズ群１６０のレンズ間隔は最小となっており、レンズ鏡筒におけるレンズ性能を向上させている。
【０１５９】
テレ状態にあるレンズ鏡筒がワイド方向に繰り込むと、第２直進筒１４７およびシャッタ装置１０１の間隔は狭まり、レンズホルダー４０２の駆動ピン４０３がレンズ用第１カム面（第２のガイド部）１４７ｔに当接する。そして、レンズ鏡筒がさらに繰り込むと、駆動ピン４０３がレンズ用第１カム面１４７ｔに沿って移動するとともに、カム溝１０１ａにおいてテレ端１０１ａ１からワイド端１０１ａ２方向に移動する。
【０１６０】
これにより、補正レンズ４０１および第１レンズ群１６０の光軸方向における間隔は広がり、撮影レンズがワイド側近辺にあるときに撮影光学系の光学性能が最適となる位置に補正レンズ４０１が移動する。
【０１６１】
図２４は、沈胴状態にあるレンズ鏡筒の部分構成図を示している。同図において、駆動ピン４０３はレンズ用カム延長部１４７ｙに係合しているとともに、カム溝１０１ａにおけるワイド端１０１ａ２に位置している。
【０１６２】
一方、レンズ鏡筒が沈胴状態からワイド方向に繰り出すと、シャッタ装置１０１および第２直進筒１４７の光軸方向における間隔が広がる。このとき、移動バネ４０４のバネ力を受けている駆動ピン４０３は、レンズ用第１カム面１４７ｔに沿って移動する。これにより、駆動ピン４０３は、カム溝１０１ａのうちワイド端１０１ａ２からテレ端１０１ａ１に移動し、補正レンズ４０１および第１レンズ群１６０の光軸方向における間隔が最小になる。
【０１６３】
次に、レンズホルダー４０２の駆動機構に異常状態が生じている場合において、レンズ鏡筒が沈胴状態からワイド、テレ方向に繰り出す際のレンズホルダー４０２の動作について説明する。ここで、異常状態とは、移動バネ４０４のバネ力が不足している等といった原因によりレンズホルダー４０２が正常に動作できない状態をいう。
【０１６４】
異常状態が生じている場合（移動バネ４０４による付勢力が十分でない場合）において、レンズ鏡筒が図２４に示す沈胴状態から撮影状態に繰り出すと、駆動ピン４０３は、移動バネ４０４による十分な付勢力を受けていないためレンズ用第１カム面１４７ｔに当接せずに、レンズ用第２カム面（第１のガイド部）１４７ｕに当接する。そして、レンズ鏡筒の繰り出し動作に応じて駆動ピン４０３は、レンズ用第２カム面１４７ｕに沿って移動する。このとき、駆動ピン４０３は、カム溝１０１ａのうちワイド端１０１ａ２からテレ端１０１ａ１に移動し、補正レンズ４０１および第１レンズ群１６０の間隔が狭まる。
【０１６５】
図２５は、レンズ鏡筒がテレ状態にある場合において、駆動ピン４０３がテレ端１０１ａ１（正常状態にあるときの位置）ではなくワイド端１０１ａ２側に位置している異常状態を示している。
【０１６６】
図２５に示す状態において、レンズ鏡筒がワイド側へ繰り込むと、シャッタ装置１０１および第２直進筒１４７の間隔が縮まり、駆動ピン４０３が第２直進筒１４７のレンズ用第３カム面（第３のガイド部）１４７ｖに当接する。そして、レンズ鏡筒が更に繰り込むと、駆動ピン４０３がレンズ用第３カム面１４７ｖに沿って移動するとともに、カム溝１０１ａにおいてテレ端１０１ａ１側に移動する。
【０１６７】
駆動ピン４０３はレンズ用第３カム面１４７ｖの一端まで移動すると、レンズ用第３カム面１４７ｖを離れて、レンズ用第１カム面１４７ｔと当接し、このレンズ用第１カム面１４７ｔに沿って移動する。これにより、駆動ピン４０３は、カム溝１０１ａにおけるワイド端１０１ａ２まで移動し、補正レンズ４０１は正常な位置に戻る。
【０１６８】
本実施形態によれば、駆動ピン４０３を第２直進筒１４７のレンズ用第２カム面１４７ｕに沿って移動させてレンズホルダ４０２を強制的に回転させることにより、駆動ピン４０３及びカム溝１０１ａのカム係合作用によって補正レンズ４０１を光軸方向に適正な量だけ移動させている。これにより、移動バネ４０４のバネ力が不足してレンズホルダ４０２を回転させることができない場合（異常状態の場合）であっても、レンズホルダ４０２を強制的に回転させることにより、補正レンズ４０１を確実に光軸方向に移動させることができ、撮影光学系の光学性能を確保することができる。
【０１６９】
また、本実施形態では、レンズ鏡筒に既存の部材である第２直進筒１４７を用いてレンズホルダ４０２を強制的に回転させており、従来技術のように検出スイッチなどの新たな部材を追加する必要もないため、レンズ鏡筒の大型化およびコストアップを防止することができる。
【０１７０】
さらに、本実施形態では、補正レンズ４０１が所定の位置にない場合（異常状態の場合）において、レンズ鏡筒が撮影状態から沈胴状態に繰り込むと、駆動ピン４０３がレンズ用第３カム面１４７ｖによりレンズ用第１カム面１４７ｔへ導かれ、このレンズ用第３カム面１４７ｔに沿って移動することにより、補正レンズ４０１を正常な位置に戻すことができる。
【０１７１】
また、上述した構成では、連結部１８１ｃがレンズ用第３カム面１４７ｖに沿って移動することで、レンズホルダ４０２が光軸周り一方向に回転し、その後、駆動ピン４０３がレンズ用第１カム面１４７ｔに沿って移動することでレンズホルダ４０２が光軸周り他方向に回転する。このように、レンズホルダ４０２の光軸周り一方向に回転させた後、他方向へ回転させることにより、移動バネ４０４に付着したゴミなどをふるい落とすこともでき、移動バネ４０４のバネ力を回復させることも可能となる。
【０１７２】
（第３実施形態）
本発明の第３実施形態であるレンズ鏡筒は、第１実施形態と同様にバリア羽根の開閉機構に関するものであり、具体的には、第１実施形態におけるバリア機構の開きバネ１８２に換えて板バネ（抵抗手段）１８９を用いてバリア羽根の開閉動作を行うものである。なお、レンズ鏡筒の主要構成および動作や、カメラの回路構成および動作は第１実施形態と同様であり、第１実施形態で説明した部材と同じ部材については同一符号を用いて説明する。以下、第１実施形態と異なる点について図２６を用いて説明する。
【０１７３】
バリアリング１８１には、板バネ１８９がこの基端部においてネジ１９２で固定されている。１群レンズ鏡筒１４５の前端面には、２つの凹部１４５ｔ、１４５ｕが設けられている。
【０１７４】
バリア羽根１８５〜１８８が閉じ状態にあるとき、板バネ１８９の先端に形成された凸部１８９ａは１群レンズ鏡筒１４５の凹部１４５ｔに入り込むようになっている。また、バリア羽根１８５〜１８８が開き状態にあるとき、板バネ１８９の凸部１８９ａは、１群レンズ鏡筒１４５の凹部１４５ｕに入り込むようになっている。
【０１７５】
バリアリング１８１が開き位置および閉じ位置間で回転するとき、板バネ１８９の凸部１８９ａは、１群レンズ鏡筒１４５の前端面のうち２つの凹部１４５ｔ、１４５ｕとの間に位置する平面部と摺動することにより、バリアリング１８１の回転動作に抵抗を与えている。
【０１７６】
これにより、バリアリング１８１は、開き位置および閉じ位置間において回転しにくくなっており、開き位置および閉じ位置に安定して停止することができる。また、レンズ鏡筒の駆動中にバリアリング１８１の微小な振動が抑えられ、レンズ鏡筒のワイド状態および沈胴状態間の動きが滑らかになるとともに、バリアリング１８１の回転が滑らかになり、バリア羽根の開閉の動きがスムーズになる。
【０１７７】
上述した構成のレンズ鏡筒におけるバリア羽根１８５〜１８８の開閉動作について説明する。
【０１７８】
レンズ鏡筒が沈胴状態にあるとき、板バネ１８９の凸部１８９ａは凹部１４５ｔに入り込んでいる。沈胴状態にあるレンズ鏡筒がテレ方向に繰り出すと、バリアリング１８１および第２直進筒１４７の光軸方向における間隔が広がることにより、カム延長部１４７ｓにある連結部１８１ｃが第２カム面１４７ｐに当接する（図１９参照）。
【０１７９】
そして、バリアリング１８１および第２直進筒１４７の間隔が更に広がると、連結部１８１ｃが第２カム面１４７ｐに沿って移動し、これによりバリアリング１８１が光軸周りに回転する。このとき、凹部１４５ｔにはまり込んでいた凸部１８９ａは、凹部１４５ｔから抜け出て、１群レンズ鏡筒１４５の平面部を摺動する。
【０１８０】
連結部１８１ｃが、第２カム面１４７ｐの一端まで移動すると、凸部１８９ａが凹部１４５ｕにはまり込む。これにより、バリアリング１８１は所定の回転位置に保持される。このとき、バリア羽根１８５〜１８８は、バリアリング１８１の中央に形成された開口部から退避することになる。
【０１８１】
一方、撮影状態にあるレンズ鏡筒が沈胴方向に繰り込むと、バリアリング１８１および第２直進筒１４７の間隔が狭まり、連結部１８１ｃが第１カム面１４７ｎに当接する。そして、レンズ鏡筒の繰り込み動作によりバリアリング１８１および直進筒１４５の間隔が更に狭まると、連結部１８１ｃが第１カム面１４７ｎに沿って移動する。
【０１８２】
これにより、バリアリング１８１が光軸周りに回転し、凹部１４５ｕにはまり込んでいた凸部１８９ａは、凹部１４５ｕから抜け出し、１群レンズ鏡筒１４５の平面部を摺動する。そして、連結部１８１ｃが第１カム面１４７ｎの一端まで移動すると、凸部１８９ａは凹部１４５ｔにはまり込む。
【０１８３】
これにより、バリアリング１８１は所定の回転位置に保持され、バリア羽根１８５〜１８８はバリアリング１８１の開口部を覆うことになる。
【０１８４】
次に、バリアリング１８１に異常状態が生じている場合のバリア羽根１８５〜１８８の開閉動作について説明する。
【０１８５】
異常状態によりバリアリング１８１の回転動作が正常に行われない場合において、沈胴状態にあるレンズ鏡筒がワイド方向に繰り出すと、連結部１８１ｃが第２カム面１４７ｐに当接し、この第２カム面１４７ｐに沿って移動する。これにより、バリア羽根１８５〜１８８が開き状態となる。
【０１８６】
このように連結部１８１ｃを第２カム面１４７ｐに沿って移動させることにより、確実にバリア羽根１８５〜１８８を開き状態とすることができる。
【０１８７】
一方、レンズ鏡筒が撮影状態にあり、バリアリング１８１の回転動作に異常状態が生じている場合、連結部１８１ｃが、図２２に示す場合と同様に第３カム面１４７ｒに対して光軸方向延長線上に位置していることがある。
【０１８８】
ここで、レンズ鏡筒が撮影状態から沈胴方向に繰り込むと、連結部１８１ｃが第３カム面１４７ｒに当接して、この第３カム面１４７ｒに沿って移動する。そして、第３カム面１４７ｒの一端まで移動すると、連結部１８１ｃは第３カム面１４７ｒを離れて第１カム面１４７ｎに当接し、以後第１カム面１４７ｎに沿って移動することになる。これにより、バリアリング１８１が光軸周りに回転して、バリア羽根１８５〜１８８が閉じ状態となる。
【０１８９】
このように、レンズ鏡筒が撮影状態にあって、バリアリング１８１の回転動作に異常状態が生じている場合でも、レンズ鏡筒が繰り込むことにより、バリア羽根１８５〜１８８を確実に閉じ状態とすることができる。
【０１９０】
なお、本実施形態では、バリアリング１８１の開閉機構について説明したものであるが、第２実施形態における補正レンズの駆動機構にも適用することができるものである。すなわち、第２実施形態では、移動バネ４０４を用いて補正レンズ４０１を光軸周り一方向に付勢しているが、移動バネ４０４の換わりに本実施形態の板バネを用いて補正レンズ４０１の回転動作に抵抗を与えるようにしてもよい。
【０１９１】
【発明の効果】
本願請求項１に記載の発明は、鏡筒本体前面の光通過口を開閉可能なバリア部材と、光軸周りに回転することによりバリア部材を開閉駆動する駆動部材と、この駆動部材を光軸周り一方向に付勢する付勢部材と、鏡筒本体の一部を構成する鏡筒構成部材とを有し、駆動部材および鏡筒構成部材が、鏡筒本体の繰り出し繰り込み動作によって光軸方向に相対的に移動可能なレンズ鏡筒であって、鏡筒構成部材が、駆動部材との相対位置変化に応じて、駆動部材を光軸周り一方向に回転させる第１のガイド部と、駆動部材を付勢部材の付勢力に抗して光軸周り他方向に回転させる第２のガイド部とを有し、付勢部材又は第１のガイド部により駆動部材を光軸周り一方向に回転させてバリア部材を駆動することを特徴とする。
【０１９２】
本発明によれば、付勢部材又は第１のガイド部により駆動部材を光軸周り一方向に回転させることにより、例えば、付勢部材の付勢力では駆動部材を十分に回転させることができなくなった場合でも、第１のガイド部により駆動部材を光軸周り一方向に回転させることができる。このように、駆動部材を確実に回転させることにより、バリア部材を確実に駆動することができ、例えば、レンズ鏡筒が撮影可能な状態にあるにも関わらず、バリア部材が光通過口を閉じたままになってしまうという不都合を回避することができる。
【０１９３】
また、バリア部材の開閉駆動を確実に行わせるようにすることで、従来技術のようにバリア部材の開閉状態を検出するための検出スイッチを設ける必要もないため、部品点数の増加によりレンズ鏡筒が大型化、コストアップすることもない。
【０１９４】
本願請求項３に記載の発明は、鏡筒構成部材が、駆動部材との相対位置変化に応じて駆動部材を第２のガイド部に案内する第３のガイド部を有することを特徴とする。
【０１９５】
本発明によれば、付勢部材又は抵抗手段が十分に機能しないことにより、駆動部材が所定の回転位置にない場合でも、第３のガイド部により駆動部材を第２のガイド部へ案内するようにすることで、駆動部材を第２のガイド部に沿って回転させることができ、所定の回転位置へ戻すことができる。これにより、バリア部材の開閉駆動を正確に行うことができる。
【図面の簡単な説明】
【図１】シャッタ装置の外観斜視図。
【図２】レンズ鏡筒の分解斜視図。
【図３】レンズ鏡筒のズーム駆動系の分解斜視図。
【図４】沈胴状態におけるレンズ鏡筒の断面図とレンズ鏡筒の駆動制御系の模式図。
【図５】ワイド状態におけるレンズ鏡筒の断面図。
【図６】テレ状態におけるレンズ鏡筒の断面図。
【図７】固定筒の展開図。
【図８】第１直進筒の展開図。
【図９】第２差動筒の展開図。
【図１０】第２差動筒の各レンズ群の移動用カム軌跡の説明図。
【図１１】沈胴状態からワイド待機状態へと、ワイド待機状態からＭ２状態へのズーミングと、フォーカシングの説明図。
【図１２】Ｍ２状態からテレ状態へのズーミングと、フォーカシングの説明図。
【図１３】テレ待機状態におけるレンズ鏡筒の外観斜視図。
【図１４】ワイド待機状態におけるレンズ鏡筒の外観斜視図。
【図１５】バリア機構の分解斜視図。
【図１６】バリア機構の分解斜視拡大図。
【図１７】バリア機構の分解斜視背面図。
【図１８】テレ状態にあるレンズ鏡筒の内部構造斜視図。
【図１９】テレ状態にあるときのバリア機構の部分構成斜視図。
【図２０】撮影状態と沈胴状態の中間状態にあるときのバリア機構の部分構成斜視図。
【図２１】沈胴状態にあるときのバリア機構の部分構成斜視図。
【図２２】撮影状態と沈胴状態の中間状態において異常状態にあるときのバリア機構の部分構成斜視図。
【図２３】テレ状態にあるレンズ鏡筒の部分構成斜視図（第２実施形態）。
【図２４】沈胴状態にあるレンズ鏡筒の部分構成斜視図。
【図２５】テレ状態において異常状態にあるときのレンズ鏡筒の部分構成斜視図。
【図２６】バリア機構の分解斜視図（第３実施形態）。
【符号の説明】
１０１・・・光量調節装置
１０１ａ・・・カム溝
１０１ａ１・・・テレ端
１０１ａ２・・・ワイド端
１０１ｂ・・・バネ掛け用穴
１０２・・・鏡筒ユニット
１０８・・・モーター
３０１ａ・・・パルス板部
１１０・・・パルス検出回路
１１１・・・モーターコントロール回路
１１２ａ・・・コンパレータ
１１２ｂ・・・コンパレータ
１１３・・・マイコン
１１４・・・被写体距離検出回路
１１５・・・ズーミング信号処理回路
１１６・・・はロジックコントロール回路
１１７・・・測距モジュール
１１８・・・ズーミング操作部材
１２０・・・長軸ギア
１２２・・・ＰＩ（フォトインターラプター）
１３０・・・レリーズボタン
１４１・・・固定筒
１４１ａ・・・メスヘリコイド
１４１ｂ・・・フランジ部分
１４１ｃ・・・穴
１４１ｄ・・・キー溝
１４２・・・第１差動筒
１４２ａ・・・後端外周部
１４２ｃ・・・直進溝
１４３・・・第１直進筒
１４３ａ・・・後端フランジ部
１４３ｂ・・・第１カム溝
１４３ｄ・・・台部
１４３ｅ・・・ピン部
１４４・・・第２差動筒
１４４ａ・・・穴
１４４ｂ・・・第２カム溝
１４４ｃ・・・第３カム溝
１４５・・・１群レンズ鏡筒
１４５ａ・・・１群ヘリコイド
１４５ｎ１・１４５ｎ２・１４５ｎ３・・・組立用逃げ凹
１４５ｐ１〜３・・・リブ部
１４５ｒ・・・バネ掛け部
１４５ｑ１〜ｑ２・・・軸
１４５ｓ・・・角穴
１４７・・・第２直進筒
１４７ａ・・・キー部
１４７ｂ・・・後端フランジ部
１４７ｎ・・・第１カム面
１４７ｐ・・・第２カム面
１４７ｒ・・・第３カム面
１４７ｓ・・・カム延長部
１４７ｔ・・・レンズ用第１カム面
１４７ｕ・・・レンズ用第２カム面
１４７ｗ・・・レンズ用第３カム面
１４７ｙ・・・レンズ用カム延長部
１４８・・・２群レンズホルダー
１４８ａ・・・２群ピン
１５１・・・第２差動筒駆動ピン
１５２・・・第２レンズ群
１５３・・・２群バネ
１５５・・・２群マスク
１５９・・・カメラ本体
１６０・・・第１レンズ群
１７０・・・固定遮光ゴム
１７１・・・固定遮光シート
１７２・・・固定カバー
１７３・・・第１遮光ゴム
１７４・・・第１遮光シート
１７５・・・第２遮光ゴム
１７６・・・第２遮光シート
１８０・・・バリアシート
１８０Ａ・・・切り欠き孔部
１８０ｄ１・１８０ｄ２・１８０ｄ３・・・フック形状
１８１・・・バリアリング
１８１ｂ・・・腕部根元
１８１ｃ・・・連結部
１８１ｅ・・・バネ掛け部
１８１ｆ１・・・フック部
１８１ｇ１・・・突起
１８２・・・開きバネ
１８２ａ・・・丸フック部
１８２ｂ・・・丸フック部
１８３・・・閉じバネＡ
１８３ａ・・・角フック部
１８３ｂ・・・丸フック部
１８４・・・閉じバネＢ
１８５・・・第１バリア羽根
１８５ｂ・・・孔
１８５ａ・・・回転中心穴部
１８５ｃ・・・凸部
１８５ｄ・・・外縁部
１８５ｅ・・・突起
１８６・・・第２バリア羽根
１８７・・・第３バリア羽根
１８７ａ・・・回転中心穴部
１８７ｃ・・・凹部
１８７ｄ・・・凸部
１８８・・・バリア羽根２Ｂ
１９０・・・バリアカバー
１９０ａ・・・フック部
１９１・・・１群カバー
４０１・・・補正レンズ
４０２・・・レンズホルダー
４０３・・・駆動ピン
４０４・・・移動バネ
４０４ａ・４０４ｂ・・・フック部
【図１】
2004069991.tif 000004
【図２】
2004069991.tif 000005
【図３】
2004069991.tif 000006
【図４】
2004069991.tif 000007
【図５】
2004069991.tif 000008
【図６】
2004069991.tif 000009
【図７】
2004069991.tif 000010
【図８】
2004069991.tif 000011
【図９】
2004069991.tif 000012
【図１０】
2004069991.tif 000013
【図１１】
2004069991.tif 000014
【図１２】
2004069991.tif 000015
【図１３】
2004069991.tif 000016
【図１４】
2004069991.tif 000017
【図１５】
2004069991.tif 000018
【図１６】
2004069991.tif 000019
【図１７】
2004069991.tif 000020
【図１８】
2004069991.tif 000021
【図１９】
2004069991.tif 000022
【図２０】
2004069991.tif 000023
【図２１】
2004069991.tif 000024
【図２２】
2004069991.tif 000025
【図２３】
2004069991.tif 000026
【図２４】
2004069991.tif 000027
【図２５】
2004069991.tif 000028
【図２６】
2004069991.tif 000029